(57)【要約】【課題】回路基板ケースが遊技機から着脱されたか否かを、迅速かつ簡便に確認する。【解決手段】着脱監視装置３００では、回路基板ケース２１０自体が回路アダプター２２０から取り外された場合に、当該取り外し動作に伴って、一対の端子部３０６を導通状態としていた一対の丸棒３１４を案内部３１６から排出し、一対の端子部３０６の導通状態が解除される構造としたため、回路基板ケース２１０の取り外しの痕跡を、目視でも確認でき、かつ、電源投入時には、制御的にも判定が可能となる。【選択図】図７
2016077421.tif 000002
【特許請求の範囲】
【請求項１】
電子回路基板を収容する筐体と、
前記筐体を特定の架台へ着脱可能に保持する保持手段と、
前記保持手段による前記筐体の前記特定の架台への最初の装着の際に導通させる一対の端子を備え、前記一対の端子間を、前記筐体の前記特定の架台からの離脱動作に伴って非導通とし、前記筐体の前記特定の架台の再装着でも非導通が維持されるように変位する変位構造体と、
特定の時期に、前記一対の端子間の導通状態を監視する監視手段と、
を有する遊技機。
【請求項２】
前記一対の端子が、前記保持手段による前記筐体の前記特定の架台への最初の装着動作に伴って導通状態となることを特徴とする請求項１記載の遊技機。
【請求項３】
前記監視手段による監視結果を、少なくとも遊技機単位で報知する報知手段をさらに有することを特徴とする請求項１又は請求項２記載の遊技機。
【請求項４】
前記特定の時期が、前記電子回路基板に電源が投入された時期であることを特徴とする請求項１〜請求項３の何れか１項記載の遊技機。
【請求項５】
前記一対の端子がそれぞれ前記電子回路基板に配線された信号線に接続され、当該電子回路基板における、前記電源の投入時に起動する遊技機起動プログラムの実行に先立って、前記監視手段による監視が実行され、
前記監視手段の監視の結果、前記一対の端子間の導通状態が異常の場合に、前記遊技機起動プログラムの起動を中止することを特徴とする請求項４記載の遊技機。
【請求項６】
前記変位構造体が、
固定配置された第１の導体と、前記第１の導体と導通される導通位置及び前記第１の導体と非導通となる非導通位置に移動可能な第２の導体とを備え、
前記第２の導体が、
前記導通位置において、前記筐体の前記特定の架台への最初の装着で前記一対の端子に係合され、
前記係合した後の離脱動作に伴って、前記非導通位置に移動することを特徴とする請求項１〜請求項５の何れか１項記載の遊技機。
【請求項７】
前記第２の導体の前記導通位置から前記非導通位置への移動が、前記変位構造体の目視可能な破断を伴うことを特徴とする請求項６記載の遊技機。
【請求項８】
電子回路基板を収容する筐体と、
前記筐体を特定の架台へ着脱可能に保持する保持手段と、
前記保持手段による前記筐体の前記特定の架台への装着動作に伴って一対の端子間が導通し、前記筐体の前記特定の架台からの離脱動作に伴って前記一対の端子間が非導通となり、再装着でも非導通が維持されるように変位する変位構造体と、
前記一対の端子間の導通状態を常に監視する監視手段と、
前記監視手段において、少なくとも非導通となったことを記憶する記憶手段と、
を有する遊技機。
【発明の詳細な説明】
【技術分野】
【０００１】
本発明は、電子部品が組付けられた電子回路基板が収容された領域を閉塞する回路基板ケースを搭載する遊技機に関するものである。
【背景技術】
【０００２】
遊技機に搭載される電子回路基板（例えば、主制御基板）は、基本的に回路基板ケースに収容された状態で遊技盤背面の回路アダプター等に取り付けられている。
【０００３】
特に、主制御基板は、遊技の進行を司る重要な基板であり、遊技者へ多くの賞球を付与する結果をもたらす抽選等もこの主制御基板によって実行されるようになっている。以下、電子回路基板の代表として、主制御基板を例にとり説明する。
【０００４】
主制御基板は、回路基板ケースの一部を構成するベース板に載置され、このベース板の周囲を囲むように箱型の上蓋が取り付けられ、密閉される。この結果、主制御基板が、ベース板と上蓋とによって収容される。
【０００５】
ベース板と上蓋との間には、これらを跨ぐように封印シールが貼り付けられている。この封印シールは、剥がすとその痕跡が残るという点では、周知の封印シールと違いはなく、この封印シールが貼り付けられることで、ベース板と上蓋とが一旦密閉された後においては、その後の開封の痕跡を残すことができる（特許文献1参照）。
【０００６】
また、特許文献２では、封印シールにＲＦＩＤ機能が付加された回路ボックスが提案されている。例えば、アンテナとＩＣチップとで構成されるＩＣタグ等がその代表例であり、外部からの電波を受信すると、電磁誘導で発電され、ＩＣチップに記憶された情報を出力するものである。
【０００７】
封印シールに設けられたＩＣタグのＩＣチップに記憶された情報は、前記回路基板ケースに収容された主制御基板の識別符号情報と照合され、例えば、封印シールが剥がされて、主制御基板のみ交換された場合に、ＩＣチップに記憶された情報と、主制御基板に設定された識別符号情報との照合によって、不正交換を認識することができる。
【０００８】
さらに、封印シールを刃物等で切断するとアンテナが切断され、この場合も、例えば、定期的に実施される照合プログラムにおいて、エラー（例えば、応答無し）が発生するため、不正があったことを認識することができる。
【先行技術文献】
【特許文献】
【０００９】
【特許文献１】特開２００９−１２５１１０号公報
【特許文献２】特開２００８−１１３７３８号公報
【発明の概要】
【発明が解決しようとする課題】
【００１０】
しかしながら、特許文献１及び特許文献２において、例えば、回路基板ケースを遊技機背面の回路アダプターから取り外し、特殊な溶剤によって、封印シールを破ることなく剥がし、主制御基板の一部の電子部品を交換し、再度、剥がした封印シールを貼り直すといった手口に対しては、遊技機毎に目視で外観検査して確認したり、ＩＣチップに記憶された情報をリーダーで読み取る照合プログラムを立ち上げなくてはならない。このような、外観検査や照合プログラムでは不正があったことを、迅速かつ簡便に発見できない場合がある。特に、特許文献２にあっては、リーダーの汎用性、普及度の点から一般的ではなく、設備が複雑化するため、店側から受入体制についての理解を得難いという問題を残す場合がある。
【００１１】
本発明は上記事実を考慮し、回路基板ケースが遊技機から着脱されたか否かを、迅速かつ簡便に確認することができる遊技機を得ることが目的である。
【課題を解決するための手段】
【００１２】
本発明は、電子回路基板を収容する筐体と、前記筐体を特定の架台へ着脱可能に保持する保持手段と、前記保持手段による前記筐体の前記特定の架台への装着の際に導通させる一対の端子を備え、前記一対の端子間を、前記筐体の前記特定の架台からの離脱動作に伴って非導通とし、前記筐体の前記特定の架台の再装着でも非導通が維持されるように変位する変位構造体と、特定の時期に、前記一対の端子間の導通状態を監視する監視手段と、
を有している。
【００１３】
本発明によれば、保持手段により、筐体を特定の架台へ最初に装着して保持させる際、一対の端子間を導通させる。
【００１４】
一方、筐体を特定の架台から離脱させるとき、当該離脱動作に伴って一対の端子間が非導通となると共に、変位構造体が変位して、筐体を再度特定の架台へ装着したとしても、一対の端子間が導通状態とならず、非導通状態が維持される。
【００１５】
このため、筐体の特定の架台への装着は、１回目と２回目以降とでは、一対の端子間の導通状態が異なることになる。
【００１６】
監視手段では、特定の時期に、一対の端子間の導通状態を監視する。
【００１７】
この監視により、一旦装着された筐体が１回以上離脱動作があったことを確認することができる。すなわち、例えば、不正により筐体が離脱された後、目視でわかり難いように再装着されたとしても、監視手段の監視結果により、判別が可能となる。
【００１８】
本発明において、前記一対の端子が、前記保持手段による前記筐体の前記特定の架台への最初の装着動作に伴って導通状態となることを特徴とする。
【００１９】
前記保持手段による前記筐体の前記特定の架台への最初の装着動作に伴って、一対の端子を導通状態とすることで、不正検出のために特別な工程を追加することがないので、作業工数を減らすことができる。
【００２０】
本発明において、前記監視手段による監視結果を、少なくとも遊技機単位で報知する報知手段をさらに有することを特徴としている。
【００２１】
報知手段により、監視手段の監視結果を報知することで、筐体の着脱の履歴を特別な装置を追加したり、ネットワークを活用することなく、遊技機単独で認識することができる。
【００２２】
また、本発明において、前記特定の時期が、前記電子回路基板に電源が投入された時期であることを特徴としている。
【００２３】
例えば、遊技機が、工場出荷から店に到着したときの電源投入時に監視手段による監視を実行することで、運搬中の筐体の着脱状態が認識できる。また、各日の開店時の電源投入時に監視手段による監視を実行することで、前回閉店後の筐体の着脱状態が認識できる。
【００２４】
さらに、本発明において、前記一対の端子がそれぞれ前記電子回路基板に配線された信号線に接続され、当該電子回路基板における、前記電源の投入時に起動する遊技機起動プログラムの実行に先立って、前記監視手段による監視が実行され、前記監視手段の監視の結果、前記一対の端子間の導通状態が異常の場合に、前記遊技機起動プログラムの起動を中止することを特徴としている。
【００２５】
監視手段の監視の結果、一対の端子間の導通状態が異常の場合に、遊技機起動プログラムの起動を中止することで、例えば、正規の電子回路基板とは異なる電気回路基板での遊技の進行を未然に防止することができる。
【００２６】
また、本発明において、前記変位構造体が、固定配置された第１の導体と、前記第１の導体と導通される導通位置及び前記第１の導体と非導通となる非導通位置に移動可能な第２の導体とを備え、前記第２の導体が、前記導通位置において、前記筐体の前記特定の架台への最初の装着で前記一対の端子に係合され、前記係合した後の離脱動作に伴って、前記非導通位置に移動することを特徴としている。
【００２７】
第１の導体と第２の導体とは筐体の装着前では、互いに導通状態となっており、この結果、一対の端子が第２の導体に係合されることで、一対の端子間は導通状態となる。
【００２８】
一方、第２の導体は、筐体の離脱動作に伴い、非導通位置に移動するため、次の筐体の装着動作があっても、第１の導体と第２の導体とが非導通であり、結果として、一対の端子間が導通状態とならないことを実現することができる。
【００２９】
さらに、本発明において、前記第２の導体の前記導通位置から前記非導通位置への移動が、前記変位構造体の目視可能な破断を伴うことを特徴としている。
【００３０】
第２の導体において、導通位置から非導通位置への移動が、変位構造体の目視可能な破断を伴うため、外観からも筐体の離脱を確認することができる。
【００３１】
本発明は、電子回路基板を収容する筐体と、前記筐体を特定の架台へ着脱可能に保持する保持手段と、前記保持手段による前記筐体の前記特定の架台への装着動作に伴って一対の端子間が導通し、前記筐体の前記特定の架台からの離脱動作に伴って前記一対の端子間が非導通となり、再装着でも非導通が維持されるように変位する変位構造体と、前記一対の端子間の導通状態を常に監視する監視手段と、前記監視手段において、少なくとも非導通となったことを記憶する記憶手段と、を有している。
【００３２】
本発明によれば、保持手段により、筐体を特定の架台へ保持させる装着させるとき、当該装着動作に伴って一対の端子間が導通する。
【００３３】
一方、筐体を特定の架台から離脱させるとき、当該離脱動作に伴って一対の端子間が非導通となると共に、変位構造体が変位して、筐体を再度特定の架台へ装着したとしても、一対の端子間が導通状態とならず、非導通状態が維持される。
【００３４】
このため、筐体の特定の架台への装着は、１回目と２回目以降とでは、一対の端子間の導通状態が異なることになる。
【００３５】
監視手段では、一対の端子間の導通状態を常に監視する。
【００３６】
この監視により、一旦装着された筐体が１回以上離脱動作があったことを確認することができる。すなわち、例えば、不正により筐体が離脱された後、目視でわかり難いように再装着されたとしても、監視手段の監視結果により、判別が可能となる。
【００３７】
また、監視手段が、常に筐体と特定の架台との装着状態を監視しており、記憶手段では、監視手段の監視の下、少なくとも非導通となったことを記憶しておくため、例えば、筐体が離脱された回数、日時等を把握することができる。
【発明の効果】
【００３８】
以上説明した如く本発明では、回路基板ケースが遊技機から着脱されたか否かを、迅速かつ簡便に確認することができるという優れた効果を有する。
【図面の簡単な説明】
【００３９】
【図１】本実施の形態に係るパチンコ機の正面図である。
【図２】本実施の形態に係る遊技盤の正面図である。
【図３】本実施の形態に係る遊技機の裏面側を示す正面図である。
【図４】本実施の形態に係る制御系のハード構成を示すブロック図である。
【図５】本実施の形態に係る回路基板ケースの斜視図である。
【図６】本実施の形態に係る回路基板ケースの分解斜視図である。
【図７】本実施の形態に係る回路基板ケースと回路アダプターとの着脱手順を示す側面図である。
【図８】本実施の形態に係る着脱監視装置の斜視図であり、（Ａ）は装着前、（Ｂ）装着状態、（Ｃ）離脱後を示す。
【図９】本実施の形態に係る着脱装置の一対の端子部と一対の丸棒との着脱手順を示す平面図であり、（Ａ）は装着手順、（Ｂ）は離脱手順を示す。
【図１０】本実施の形態に係り、主制御部の一対の端子部の導通状態を判定する回路である。
【図１１】本実施の形態に係り、主制御部において電源投入時に実行される着脱履歴判定制御ルーチンを示すフローチャートである。
【図１２】変形例に係る一対の端子部の導通状態を判定する回路である。
【発明を実施するための形態】
【００４０】
（パチンコ機の構成）
図１に示されるように、パチンコ機１０の前面下部には、化粧パネルとなる下飾り１２が取り付けられている。
【００４１】
また、パチンコ機１０の下飾り１２の上部には、互いに平行、かつ奥行き方向に所定の間隔をおいて配置された一対のガラス板１４を装着したガラス枠１６が配置されており、ガラス枠１６は左側端部が軸支されて開閉可能に取り付けられている。このガラス枠１６の奥側には、着脱交換可能な遊技盤１８がセットされており、遊技盤１８は、ガラス枠１６で閉塞された状態でガラス板１４に対向するようになっている。
【００４２】
ガラス枠１６の下部には、一体皿２４が配置されている。一体皿２４の図１の右端部には、鍵穴２７が設けられ、この鍵穴２７にキーを差し込み、回転操作すると、パチンコ機１０の本体全体が開放する。
【００４３】
一体皿２４には、上皿部２８と、下皿部３０とが設けられている。上皿部２８を形成する周縁壁３２には、上皿球抜きレバー３４が設けられ、この上皿球抜きレバー３４を操作することで、上皿部２８に貯留された遊技球を下皿部３０へ送り出すことができるようになっている。また、下皿部３０には、下皿球抜きボタン３６が設けられ、この下皿球抜きボタン３６を操作することで、下皿部３０に貯留された遊技球ＰＢを外部（例えば、所謂「ドル箱」）へ排出することができるようになっている。
【００４４】
上皿部２８の周縁壁３２における図１の右端部には、球貸ボタン４２と、返却ボタン４４が設けられている。
【００４５】
また、一体皿２４の右側下部には打球の発射力（飛距離）を調整するためのグリップユニット（発射ハンドル）２６が取り付けられ、左側下部には、灰皿等の備品４６が取り付けられている。
【００４６】
一体皿２４における下皿部３０の図１の右側には受け皿スピーカ６０Ｕが配置されている。
【００４７】
ここで、一体皿２４における上皿部２８の周縁壁３２には、遊技者が操作可能な操作ボタン５０が設けられている。この操作ボタン５０は、遊技中において、操作有効期間中に操作することで、演出に対して介入することができるようになっており、それぞれの遊技仕様によって設定される。
【００４８】
ガラス枠１６におけるガラス板１４の周囲には、アーチ状に遊技の進行に応じて点灯、消灯、及び点滅し照明による視覚的効果や、音声等による聴覚的効果等の演出効果を生み出す上部演出部５２が配置されている。この上部演出部５２の下端部は、一体皿２４の周囲に略Ｕ字型に配置された下部演出部５４の上端部と連結されている。
【００４９】
この結果、上部演出部５２と下部演出部５４とで、遊技盤１８の周囲を取り囲むように、演出部５６が形成されている。
【００５０】
この演出部５６は、上部演出部５２及び下部演出部５４共に、照明部材（ＬＥＤ等）が取り付けられた基板（図示省略）と、この基板を覆うように、所定の意匠で形成されたレンズカバー５８が取り付けられている。
【００５１】
レンズカバー５８は、前記照明部材が点灯する領域を区画するよう凹凸状にカットされており、区画された領域（以下、必要に応じて「レンズ部５８」という）毎に照明部材の点灯制御がなされる。なお、照明部材は基本的にＲ（赤色）、Ｇ（緑色）、Ｂ（青色）の３色に点灯するＬＥＤが１組となっており、それぞれの点灯時の光量比により、様々な配色の点灯が可能となっている。また、ガラス枠の上部角部には、それぞれ三連表示６２が設けられ、遊技状態の報知（エラー報知等を含む）に適用される。
【００５２】
また、前記上部演出部５２における、ガラス枠１６の上部円弧に相当する領域の中央及び両端には、ガラス枠スピーカ６０Ｃ、６０Ｌ、６０Ｒが内蔵され、照明と同時に、音声を出力する。
【００５３】
なお、以下では、前述した受け皿スピーカ６０Ｕと、このガラス枠スピーカ６０Ｃ、６０Ｌ、６０Ｒを総称して、「スピーカ６０」という。スピーカ６０の数は、本実施の形態のように４個構成に限定されるものではない。
【００５４】
（遊技盤の構成の一例）
図２に示される遊技盤１８は、基板となるベニヤ板又はアクリル板に樹脂製シート状のセルが適宜貼着され、表面が遊技領域（詳細後述）となっており、盤面の外周端部付近に、円弧状の外レール１０２及び内レール１０４が取り付けられている。
【００５５】
前記外レール１０２及び内レール１０４との間は、一定の間隔を持って球案内流路２００が形成されている。球案内流路２００は、発射装置１６５（図４参照）から発射された遊技球ＰＢを遊技盤１８の円形状の領域(遊技領域）へ案内する役目を有している。なお、この球案内流路２００の終端には、球逆流防止弁２０２が取り付けられている。球逆流防止弁２０２は、その基部が内レール１０４の先端部に取り付けられ、外レール１０２方向に延長されている。
【００５６】
前記遊技盤１８における、外レール１０２（並びに一部が内レール１０４）によって囲まれた円形状の領域は、発射装置１６５（図４参照）から発射されて、前記球案内流路２００を介して打ち込まれた遊技球ＰＢが自重落下により移動可能とされ、この領域が遊技を行う遊技領域とされている。
【００５７】
遊技盤１８の遊技領域には、遊技釘（図示省略）が適宜箇所に打ち込まれ、かつ風車２１が点在している。また、遊技領域におけるほぼ中央には、センター役物１０５が配置されている。センター役物１０５は、各種演出等の映像を表示する液晶表示部（ＬＣＤ表示部）１０６を備えている。
【００５８】
ＬＣＤ表示部１０６では、例えば、３列の図柄列が独立して変動し、最終的に３列の図柄列が同一図柄で停止した場合に特別図柄抽選の当選を報知するといった、図柄変動演出が実行される。なお、３列の内、先に２列が同一図柄で停止（仮停止）して、残りの１列が変動中の場合を、「リーチ」という。
【００５９】
センター役物１０５の下辺部は、ステージ１０５Ｓが形成されている。ステージ１０５Ｓには、釘等で跳ね返えることで受け入れた遊技球ＰＢ、或いは図示しないワープ路に案内されて受け入れた遊技球ＰＢが送り込まれるようになっている。
【００６０】
ステージ１０５Ｓは、傾斜面や突起部等が形成され、前記遊技球ＰＢの移動が当該傾斜面や突起部等により不規則に変化し、最終的に下辺手前から遊技盤１８の表面へ戻されるようになっている。
【００６１】
図２に示される如く、センター役物１０５の図２に向かって左側には、普通図柄抽選の始動機能を持つ通過ゲート１１８が配置されている。
【００６２】
また、センター役物１０５の下部には、特別図柄始動入賞口（Ａ）１３０と特別図柄始動入賞口（Ｂ）１３４とが縦列に配置されている。
【００６３】
特別図柄始動入賞口（Ａ）１３０が常時入賞可能に上部が開口しており、一方、特別図柄始動入賞口（Ｂ）１３４の上部開口は、特別図柄始動入賞口（Ａ）１３０の存在によって閉塞している。
【００６４】
この特別図柄始動入賞口（Ｂ）１３４には、電動チューリップ１３６が取り付けられている。電動チューリップ１３６は、遊技盤１８の裏面側に配設された電チューソレノイド１３８（図４参照）の通電・非通電によって開閉する構成となっている。
【００６５】
ここで、電動チューリップ１３６が開放状態になると、特別図柄始動入賞口（Ｂ）の入賞開口部への遊技球ＰＢの入賞が可能となる。
【００６６】
さらに、図２に示される如く、前記特別図柄始動入賞口（Ｂ）１３４のさらに下部には、遊技領域の下端部付近に位置してアタッカー１１２が配置されている。
【００６７】
アタッカー１１２には、開閉扉１１６が設けられている。この開閉扉１１６が、アタッカーソレノイド１４８（図４参照）の通電・非通電によって開放又は閉塞する。すなわち、開閉扉１１６の開放時には、開閉扉１１６上に落下した遊技球ＰＢが開閉扉１１６に案内されてアタッカー１１２へ入賞する。
【００６８】
また、遊技領域の最下位置には、外れ球を遊技盤１８の裏側へ排出するアウト口１２４が設けられている。
【００６９】
さらに、センター役物１０５よりも下、かつ特別図柄始動入賞口（Ａ）１３０と特別図柄始動入賞口（Ｂ）１３４の左右には、複数の一般入賞口１２０（本実施の形態では、図２に向かって左側に２個の一般入賞口１２０Ａ、１２０Ｂ、右側に１個の一般入賞口１２０Ｃとする。）が設けられている。なお、一般入賞口１２０は、３個の限られるものではなく、例えば、入賞率やベース等の設計上の演算によってその数を決めればよい。なお、ベースとは、遊技球の収支割合（賞球数／発射数）を示す。
【００７０】
また、この遊技領域に設けられたセンター役物１０５や盤面周縁には、遊技の進行に応じて点灯、消灯、及び点滅し照明による演出効果を生み出す照明演出用の発光素子１３７（図４参照）が多数設けられている。
【００７１】
ここで、特別図柄始動入賞口（Ａ）１３０又は特別図柄始動入賞口（Ｂ）１３４に遊技球ＰＢが入賞すると、特別図柄抽選が実行される。この特別図柄抽選に当選すると、前記アタッカー１１２の開閉扉１１６が所定のパターンで開閉動作し、これを所定回数（所定ラウンド）繰り返す遊技状態（「特別遊技状態」又は「大役処理」等と言う場合がある）が実行されるようになっている。
【００７２】
なお、前記特別図柄抽選の当選／落選は、主としてＬＣＤ表示部１０６の図柄変動演出において報知され、この図柄変動演出中、或いは、前記大役処理中の場合は、抽選結果を保留し、順次報知していくようになっている。また、図柄変動演出と共に、動物などが擬人化されたキャラクタが表示され、抽選で当選した旨を暗示させることにより、遊技者に期待感を持たせるといった、視覚的な演出をすることがあり、その場合は効果音によって聴覚からも遊技者の興趣を増大させる。
【００７３】
また、本実施の形態では、１個の特別図柄始動入賞口に対して最大４個の保留（特別図柄抽選の保留に相当）が可能となっている。すなわち、本実施の形態では、特別図柄始動入賞口（Ａ）１３０及び特別図柄始動入賞口（Ｂ）１３４の２個の特別図柄始動入賞口が存在するので、８個の保留が可能である。なお、この保留球数の個数は、上記に限定されるものではない。
【００７４】
センター役物１０５における、図２に向かって右下には、主として特図表示部を備えた遊技進行用のガイドランプユニット１０９が配置されている。
【００７５】
保留球数は、ガイドランプユニット１０９の一部である保留ランプによって報知される他、ＬＣＤ表示部１０６の一部を用いて、遊技者に見易く表示するようになっている。
（制御系の構成）
［配置構造］
次に、図３及び図４を用いてパチンコ機１０の制御系について説明する。
【００７６】
図３に示される如く、パチンコ機１０における、主として遊技盤１８の裏面側には、複数の回路基板ケース（図３では、４個の回路基板ケース２１０、２１２、２１４、２１６を図示したが、この数に限定されるものではない。）が配設されており、これらは互いに、図示しないケーブル等によって電気的に接続されている。
【００７７】
回路基板ケース２１０、２１２、２１４、２１６は、透明の箱型であり、内部に特定の領域２１０Ａ、２１２Ａ、２１４Ａ、２１６Ａ（空間）が形成されるようになっており、複数の電子部品が搭載され、これらの電子部品が電気的に接続される配線パターンが施された電子回路基板２１８（図６参照）が収容されている。
【００７８】
電子回路基板２１８は、少なくとも、後述する主制御部１５０に属するものと、副制御部（演出制御部１５２、払出制御部１５４等）に属するものとに分類され、主制御部１５０に属する電子回路基板２１８は単一とされ、開閉するときに痕跡が残る工夫が施された回路基板ケース２１０に収容されている（詳細後述）。なお、この痕跡が残る工夫は、他の回路基板ケース２１２、２１４、２１６では必須ではない。また、各回路基板ケース２１０、２１２、２１４、２１６の大きさ、向き、取り付け位置等に制限はない。
【００７９】
なお、前記複数の回路基板ケース２１０、２１２、２１４、２１６は、回路アダプター２２０（図２、図５参照）に着脱可能に取り付けられている。なお、回路アダプター２２０は、球案内路を兼用する場合があり、例えば、パチンコ店の球回収貯留装置からパチンコ球が供給され、球案内路の途中に設けられたカウンタによってカウントされながら、賞球時の払い出しが実行されるようになっている。
【００８０】
［制御構成］
図４に示されるように、本実施形態に係るパチンコ機１０の制御系は、主制御部１５０を中心として構成されており、この主制御部１５０には、演出制御部１５２と払出制御部１５４とが接続されている。主制御部１５０には、遊技に関する基本的なプログラムが記憶されており、この主制御部１５０から演出制御部１５２及び払出制御部１５４に向かう一方向通信の命令信号に基づいて、これら演出制御部１５２及び払出制御部１５４に接続された各部の動作が制御されるようになっている。
【００８１】
主制御部１５０からは盤用外部端子１９０を介してホールコンピュータ（図示省略）へ遊技の進行状態を示す情報（始動入賞信号や大当たり信号、図柄確定回数信号）が送信される。
【００８２】
主制御部１５０には、入力系として、通過ゲート１１８を通過する遊技球ＰＢを検出する通過ゲートセンサ１１８Ｓ、特別図柄始動入賞口（Ａ）１３０への入賞球を検出する特図Ａ始動口センサ１３０Ｓ、特別図柄始動入賞口（Ｂ）１３４への入賞球を検出する特図Ｂ始動口センサ１３４Ｓ、特別遊技状態の際に開放するアタッカー１１２への入賞球を検出するアタッカーセンサ１１２Ｓ、一般入賞口１２０Ａ、１２０Ｂ、１２０Ｃへの入賞球を検出する一般入賞センサ１２０ＡＳ、１２０ＢＳ、１２０ＣＳが接続されている。
【００８３】
また、主制御部１５０には、出力系として、遊技情報をランプの点灯状態で報知するガイドランプユニット１０９、電動チューリップ１３６を開閉する電チューソレノイド１３８、アタッカー１１２の開閉扉１１６を開閉するためのアタッカーソレノイド１４８が接続されている。
【００８４】
演出制御部１５２には、入力系として、操作ボタン５０が接続されている。また、演出制御部１５２には、出力系として、パチンコ機１０の各種遊技部品に設けられた照明演出用の発光素子１３７、スピーカ６０（６０Ｌ、６０Ｃ、６０Ｒ、６０Ｕ）が接続されている。
【００８５】
さらに、演出制御部１５２には、図柄制御部１５６を介してＬＣＤ表示部１０６が接続されている。
【００８６】
払出制御部１５４には、払出装置１６０及び発射制御部１６４が接続され、発射制御部１６４には発射装置１６５が接続されている。この払出制御部１５４は、パチンコ機１０内に設けられた払出装置１６０を作動させて、賞球又は貸し球の払い出し及び停止動作と払出数を制御する。また、発射制御部１６４は、遊技者によるグリップユニット２６（図１参照）の操作により発射装置１６５を作動させて、遊技球ＰＢの発射開始、及び、グリップユニット２６の操作量に応じた発射力を制御する。
【００８７】
さらに、払出制御部１５４では、枠用外部端子１９１を介して払出情報をホールに設置されたホールコンピュータ（図示省略）へ送信するようになっている。なお、この枠用外部端子１９１と、前述した盤用外部端子１９０とは単一のユニット（同一の回路基板）であってもよい。
【００８８】
なお、入力系及び出力系の構成は、遊技仕様によって異なる場合がある。
【００８９】
（主制御部１５０用の回路基板ケース２１０の構成）
図５及び図６には、主制御部１５０を構成する電子回路基板２１８（図６参照）を収容するための回路基板ケース２１０が示されている。
【００９０】
回路基板ケース２１０は、閉塞カバー部２２２とベース部２２４とを備えている。閉塞カバー部２２２は、箱型でベース部２２４に装着するときに対向する面が開口された箱型となっている。図６に示される如く、開口部には、前記電子回路基板２１８がビス２２６によって固定されるようになっている。
【００９１】
回路基板ケース２１０の閉塞カバー部２２２の一方の短辺側の側壁（前記カバー側空洞構成部２４２が設けられた側の側壁）の幅方向両端部には、それぞれ保持部２２７が形成されている。保持部２２７の基部（回路基板ケース２１０の側壁）は、回路基板ケース２１０の内外を連通するように貫通されている。
【００９２】
保持部２２７からは、回路アダプター２２０（図３、図５参照）へ回路基板ケース２１２を装着するためのフック部２２９が一体に形成されている。
【００９３】
また、回路基板ケース２１０のベース部２２４の一方の短辺側（図５及び図６の右側の側壁）の幅方向両端部には、突起片２３１が形成されている。
【００９４】
ここで、前記閉塞カバー部２２２とベース部２２４とを組み付ける際、前記突起片２３１を保持部２２７の貫通孔に挿入することで、閉塞カバー部２２２とベース部２２４との位置が確定される。この状態で、閉塞カバー部２２２とベース部２２４とを互いに突き合わせるように移動させることで、閉塞カバー部２２２とベース部２２４とは適正な位置関係で組み付けられる。
【００９５】
図６に示される如く、ベース部２２４は、電子回路基板２１８の外形形状とほぼ同一の底面部２２４Ａを有し、当該底面部２２４Ａの周縁から、前記電子回路基板２１８の肉厚寸法よりも若干大きい寸法のリブ２２４Ｂが形成されている。
【００９６】
このため、閉塞カバー部２２２とベース部２２４との組み付けにおいて、ベース部２２４の底面部２２４Ａには、前記閉塞カバー部２２２に取り付けられた電子回路基板２１８の裏面がほぼ密着するように配置されるようになっている。また、このとき、リブ２２４Ｂが案内壁となり、ベース部２２４及び電子回路基板２１８間に生じるガタツキが防止される。なお、前記保持部２２７と突起片２３１とは別に、電子回路基板２１８と底面部２２４Ａとの間で凹凸状の嵌め合い部材を設け、ベース部２２４及び電子回路基板２１８を相対的に位置決めするようにしてもよい。
【００９７】
閉塞カバー部２２２の周縁は、前記ベース部２２４のリブ２２４Ｂを外側から覆うように形成され、この結果、閉塞カバー部２２２がベース部２２４に装着された状態では、電子回路基板２１８が完全に、閉塞カバー部２２２とベース部２２４との間に形成された特定の領域２１０Ａ内に収容され、外部から電子回路基板２１８に手を触れることができない状態となる。
【００９８】
なお、上記では電子回路基板２１８を閉塞カバー部２２２にビス２２６で固定するようにしたが、電子回路基板２１８をベース部２２４に取り付けてから閉塞カバー部２２２を被せるようにしてもよい。
【００９９】
また、回路基板ケース２１０は、閉塞カバー部２２２とベース部２２４との２部材に限定されるものではなく、一部に特定の電子部品のみを対象として交換操作等を行う小カバーを設けたり、当初（組み付け前）は３個以上の部品であるが、圧着、嵌合、溶着、接着等により取り外し不可能に完全固着して、最終的に閉塞カバー部２２２とベース部２２４との２部材となるようにしてもよい。
【０１００】
閉塞カバー部２２２の周囲の一部には、平坦部２２２Ａが形成され、この平坦部２２２Ａには、複数の矩形孔２２８が設けられている。この矩形孔２２８は、予め、或いは装着の段階で、電子回路基板２１８に取り付けられた配線コネクタ部２３０が貫通し、露出するようになっている。このため、電子回路基板２１８を閉塞カバー部２２２とベース部２２４とで特定の領域２１０Ａに収容したとしても、配線作業が可能となる。
【０１０１】
また、閉塞カバー部２２２の天井部２２２Ｂの表層面には、天井部２２２Ｂの肉厚寸法よりも小さい深さ寸法の矩形溝２２２Ｃが形成されている。矩形溝２２２Ｃは、履歴記録シール（図示省略）の貼り付け案内溝としての役目を有している。なお、矩形溝２２２Ｃの代りに、履歴記録シールを貼り付けるガイドとなる、例えば略Ｌ字型、矩形型、一直線型等の突起部を設けるようにしてもよい。
【０１０２】
（痕跡構造）
ここで、閉塞カバー部２２２とベース部２２４とには、それぞれ一度装着された後の開放時に、その開放の痕跡を残すための痕跡部２３２が設けられている。
【０１０３】
痕跡部２３２は、閉塞カバー部２２２側に設けられた筒状部２３２Ａと、ベース部２２４側に設けられた螺合部２３２Ｂとで構成されている。
【０１０４】
筒状部２３２Ａは、２連の円筒部２３４のそれぞれにビス（図示省略）が収容され、ベース部２２４と対向する面と反対側の面には、比較的薄肉で僅かな圧力で破断するカバー部材２３６が取り付けられている。
【０１０５】
カバー部材２３６には、略十字の切欠部が形成されており、工具としてのドライバ（図示省略）の案内溝として利用されるようになっている。
【０１０６】
一方、ベース部２２４に設けられた螺合部２３２Ｂは、２連の円溝部２３８（図６参照）が形成されている。円溝部２３８の底面には、小孔が形成されている。
【０１０７】
ここで、前記閉塞カバー部２２２とベース部２２４とが装着されると、前記２連の円筒部２３４のそれぞれが、２連の円溝部２３８のそれぞれ同軸となるように設定されている。この装着状態で、まず、一方の円筒部２３４に対して、前記工具としてのドライバをあてがい、カバー部材２３６を突き破って、内部にあるビスを前記円溝部２３８の小孔に向けて螺合する。これにより、閉塞カバー部２２２とベース部２２４とが固定され、次の開放時には、前記螺合作業済の円筒部２３４又は円溝部２３８の何れか、或いは両方を、工具としてニッパやカッター等で切り落とす必要が生じるため、確実に痕跡を残すことができる。
【０１０８】
（封印シール構造）
ここで、本実施の形態では、前記閉塞カバー部２２２とベース部２２４との装着によって特定の領域２１０Ａを形成し、電子回路基板２１８を収容しているが、この特定の領域２１０Ａとは別に、前記閉塞カバー部２２２とベース部２２４とが装着されることで、空洞部２４０が形成されるようになっている。
【０１０９】
この空洞部２４０は、前記閉塞カバー部２２２とベース部２２４との装着動作に伴って、これらの一部同士が突き合わされることで閉塞されて形成されるようになっている。
【０１１０】
以下、この閉塞カバー部２２２とベース部２２４のそれぞれ一部を、「カバー側空洞構成部２４２」、「ベース側空洞構成部２４４」と言い、総称する場合は、「一対の空洞構成部２４６」という。
【０１１１】
一対の空洞構成部２４６は、回路基板ケース２１０における、前記痕跡部２３２が設けられた短辺とは反対側の短辺に沿って設けられている。
【０１１２】
一対の空洞構成部２４６はそれぞれ矩形の箱型で一方の主面（互いに対向する面）が開口されている。また、カバー側空洞構成部２４２の底面には、貫通孔２４８が形成されると共に、この貫通孔２４８の開口面がビス蓋部２５０で閉塞されている。ビス蓋部２５０は、工具としてのニッパやカッター等で簡単に切断できる構造となっており、切断されると前記貫通孔２４８が露出するようになっている。この貫通孔２４８には、後述する閉塞カバー部２２２とベース部２２４との開放作業時に、工具としてのドライバが挿入されるようになっている。
【０１１３】
ここで、閉塞カバー部２２２とベース部２２４との装着時に、空洞部２４０には、補助部材アッセンブリ２５２（図６参照）が収容されるようになっている。
【０１１４】
補助部材アッセンブリ２５２が空洞部２４０に収容された状態で閉塞カバー部２２２とベース部２２４とが装着されると、補助部材アッセンブリ２５２は、一対の空洞構成部２４６に被覆されることで、外部から触れることができない状態となる。
【０１１５】
（補助部材アッセンブリ２５２の構成）
図６に示される如く、補助部材アッセンブリ２５２は、矩形ブロック状の一対の補助部材２５４、２５６と、一対の補助部材２５４、２５６を一体化するためのビス２５８と、一体化後に一対の補助部材２５４、２５６に跨るように貼り付けられる封印シール２６０と、を備えている。
【０１１６】
一対の補助部材２５４、２５６は、それぞれ１つの長辺を除いてリブ２６２が形成されている。
【０１１７】
封印シール２６０は、一対の補助部材２５４、２５６を文字通り封印するときに貼り付けられ、開封時には破断することで開封の痕跡を残す役目を有している。
【０１１８】
本実施の形態の封印シール２６０は、前記主たる役目の他、ＲＦＩＤ（[Radio Frequency IDentification］／電波による固体識別）機能を備えている。すなわち、封印シール２６０の裏面側には、図示は省略したが、ＩＣチップとアンテナとが設けられている（ＩＣタグ）。なお、ＲＦＩＤ機能を備えるか否かは、仕様により選択可能であり、単に、封印シール２６０であってもよい。
【０１１９】
（回路基板ケースの着脱構造）
以下、主制御部１５０を構成する電子回路基板２１８を収容する回路基板ケース２１０を例にとり、回路アダプター２２０（図３参照）への着脱構造について説明する。なお、他の回路基板ケース２１２、２１４、２１６については、回路基板ケース２１０と同様の着脱構造を採る場合、或いは、別の固定手段を採る場合もある。
【０１２０】
図５に示される如く、回路基板ケース２１０の閉塞カバー部２２２の一方の短辺側の側壁に設けられた保持部２２７の先端からは、前述したように、フック部２２９が形成されている。
【０１２１】
一方、回路アダプター２２０には、前記フック部２２９に対応して、係合部２３３が形成されている。
【０１２２】
図５に示される如く、係合部２３３は、箱形で、前記フック部２２９が嵌め込まれる溝部２３３Ａが形成されている。ここで、回路基板ケース２１０を回路アダプター２２０へ装着する際、まず、回路基板ケース２１０を回路アダプター２２０の装着面に、ほぼ平行状態で突き合わせ（図７（Ａ）参照）、この状態で相互にスライド移動（一般的には、回路基板ケース２１０をスライド移動）させることで、フック部２２９を係合部２３３の溝部２３３Ａへ挿入させる。この状態で、回路基板ケース２１０は、回路アダプター２２０の特定の位置に位置決めされる（第１の工程）。
【０１２３】
ここで、回路基板ケース２１０のベース部２２４は、前記突起片２３１が形成された短辺とは反対側（前記痕跡部２３２が設けられた側）に、アンカーピン２３５が設けられている。
【０１２４】
前記回路基板ケース２１０が、回路アダプター２２０に位置決めされた状態で、アンカーピン２３５の軸線は、回路アダプター２２０に設けられた孔２２０Ａ（図７（Ｂ）、（Ｃ）参照）の軸線と一致されるようになっている。このため、前記位置決め状態で、アンカーピン２３５を押圧することで、アンカーピン２３５は、孔２２０Ａに挿入され固定される（第２の工程）。
【０１２５】
上記第１の工程及び第２の工程の作業により、回路基板ケース２１０は、回路アダプター２２０への装着が完了する。
【０１２６】
（回路基板ケース着脱履歴監視構造、並びに監視制御）
図７に示される如く、本実施の形態に係る回路アダプター２２０及び回路基板ケース２１０との間には、互いの着脱履歴を監視するための、着脱監視装置３００が設けられている。
【０１２７】
着脱監視装置３００は、回路アダプター２２０側の端子ユニット３０２と、回路基板ケース２１０側の導通ユニット３０４とを備える。
【０１２８】
端子ユニット３０２は、回路アダプター２２０の係合部２３３に取り付けられた矩形のケースを備え、ケースの側面からは、一対の金属製（導体）の端子部３０６が突出されている。この端子部３０６の突出方向は、回路基板ケース２１０の着脱動作方向となっている。このため、一対の端子部３０６の先端部は、装着動作の回路基板ケース２１０と対峙するようになっている。また、一対の端子部３０６の先端部は、互いに相反する方向に鉤状に屈曲されている。
【０１２９】
端子ユニット３０２のケース内では、一対の端子部３０６が互いに接触しないように、ケースの上面部に取り付けられたハーネス部３０８に電気的に接続されている。ハーネス部３０８は、先端部にコネクタ部３１０を備える。なお、本実施の形態では、ハーネス部３０８が、複数の配線を平坦に配列した構造となっているが、単純に必要な数のリード線（本実施の形態では、最低２本のリード線)で構成してもよい。
【０１３０】
一方、導通ユニット３０４は、閉塞カバー部２２２（平坦部２２２Ａ）に取り付けられた矩形のケースを備え、前記一対の端子部３０６と対峙する側面には、当該一対の端子部３０６を受け入れる開口部３１２が形成されている。
【０１３１】
図８及び図９に示される如く、導通ユニット３０４のケース内には、金属製（導体）の一対の丸棒３１４が上下方向を軸線として配置されている。一対の丸棒３１４は、ケース内の案内部３１６に沿って軸直角方向に移動可能となっている。
【０１３２】
案内部３１６は、前記開口部３１２と連通しており、一対の丸棒３１４の移動方向両端部は、開口部３１２が設けられた側とは反対側（以下、「奥側」という）に屈折するように形成されている。
【０１３３】
また、案内部３１６における、前記奥側は、金属製（導体）のプレート３１８（開口部３１２の上下に対応）が取り付けられ、案内部３１６を移動する一対の丸棒３１４に対して、常に接触するようになっている。言い換えれば、一対の丸棒３１４は、案内部３１６に収容されている限りは、プレート３１８によって、常に互いが導通状態であるということができる。
【０１３４】
ここで、回路基板ケース２１０が回路アダプター２２０へ装着されるとき、その装着動作の移動に伴って、前記端子ユニット３０２の一対の端子部３０６の先端部が、導通ユニット３０４の開口部３１２に入り込むことになる。
【０１３５】
さらに、装着動作が進むと、一対の端子部３０６は、一対の丸棒３１４とそれぞれ干渉しあい、一対の端子部３０６の撓み、並びに、一対の丸棒３１４の案内部３１６での移動に依存して、所謂係合状態となる。この係合状態では、一対の端子部３０６は、一対の丸棒３１４及びプレート３１８を介して、導通状態となる。すなわち、導通するための作業は特別必要なく、回路基板ケース２１０の回路アダプター２２０への装着作業が、不正検出のための工程を兼ねるため、作業工数を減らすことができる。
【０１３６】
前記係合状態、すなわち、回路基板ケース２１０が、回路アダプター２２０へ装着された後は（図７（Ｂ）参照）、前記コネクタ部３１０を、閉塞カバー部２２２から露出している配線コネクタ部２３０の何れかへ接続する（図７（Ｃ）参照）。
【０１３７】
この結果、端子ユニット３０２の一対の端子部３０６の導通状態に関する信号が、回路基板ケース２１０内の取り付けられた電子回路基板２１８において処理可能となる。
【０１３８】
なお、本実施の形態では、主制御部１５０（図４参照）において、電源が投入されると、最初に、この一対の端子部３０６の導通状態を判断する着脱履歴判定プログラムが起動するようになっている。
【０１３９】
また、導通ユニット３０４では、一対の端子部３０６が一対の丸棒３１４に対して係合状態となった後は、導通ユニット３０４のケースが破損しない限り、係合状態を解除することができない構造となっている。
【０１４０】
ここで、導通ユニット３０４のケースは、前記開口部３１２の周縁部位が、その他の部位よりも構造的に低強度となっている。強度を低くする手段としては、例えば、開口部３１２の周縁部位が、その他の部位よりも肉厚寸法が薄い、あるいは、周縁部位又はその一部に切り込みが入っている等の構造が考えられる。
【０１４１】
言い換えれば、一旦回路アダプター２２０に装着した回路基板ケース２１０を取り外そうとした場合、一対の端子部３０６が、係合状態の一対の丸棒３１４を伴って移動し、前記低強度の開口部３１２の周縁部位を破損させ、結果として、一対の丸棒３１４は、ケースから脱落することになり、構造上、目視において、着脱履歴が確認可能である。
【０１４２】
また、回路基板ケース２１０を回路アダプター２２０へ、再度装着しても、一対の端子部３０６は、導通状態とはならないことになる。この一対の端子部３０６の導通状態は、前述したように、着脱履歴判定プログラムの起動により、制御的な判断で確認可能である。制御的な判断では、例えば、異常があった場合に、その旨をＬＣＤ表示部１０６に表示したり、ホールコンピュータに通知するといった警告システムを作動させることが好ましい。
【０１４３】
図１０は、主制御部１５０での一対の端子部３０６の導通状態を判定する回路の一例であり、一方の端子部３０６にハーネス部３０８を介して接続された信号線３２０は、予め定めた電圧＋Ｖ（例えば、３．３Ｖ又は５．０Ｖ等の制御信号レベルの電圧）が印加されている。
【０１４４】
また、他方の端子部３０６にハーネス部３０８を介して接続された信号線３２２は分岐され、一方が抵抗３２４を介して接地され、他方がＣＰＵ３２６の入力端に接続されている。
【０１４５】
この結果、一対の端子部３０６が導通状態のときは、ＣＰＵ３２６には、ハイレベルの信号（Ｈ信号）が入力され、一対の端子部３０６が非導通状態のときは、ＣＰＵ３２６には、ローレベルの信号（Ｌ信号）が入力される。この信号の状態を監視することで、一対の端子部３０６の導通状態を認識することができる。
【０１４６】
以下に本実施の形態の作用を説明する。
【０１４７】
パチンコ機１０による遊技では、遊技者がグリップユニット２６を操作すると、一球ずつ発射装置１６５によって上方へ発射される（例えば、発射間隔は、１００球／６０秒程度）。発射された遊技球ＰＢは、外レール１０２に沿って遊技盤１８の遊技領域に打ち込まれ、遊技釘や風車に当たり方向を変えながら遊技領域内を落下する。そして、入賞せずに遊技領域の下端部に至った遊技球ＰＢはアウト口１２４からパチンコ機１０内に回収される。
【０１４８】
また、遊技球ＰＢが遊技領域内に設けた特別図柄始動入賞口（Ａ）又は特別図柄始動入賞口（Ｂ）に入賞したり、通過ゲート１１８を通過すると、それぞれの遊技仕様に基づく処理（例えば、抽選等）が実行されると共に、ＬＣＤ表示部１０６への画像表示演出、スピーカ６０を用いた音演出等が実行される。また、一般入賞口１２０に入賞すると、予め定めた賞球（払い出し）が実行される。
【０１４９】
（遊技仕様の概要）
まず、主制御部１５０における抽選処理を中心とした遊技制御について説明する。
【０１５０】
特別図柄始動入賞口（Ａ）１３０又は特別図柄始動入賞口（Ｂ）１３４に、遊技球ＰＢが入賞すると、有効始動入賞か否かが判断される。この有効始動入賞とは、保留球が満杯（例えば、１個の始動口に対して４個）ではなく、かつ特別図柄始動入賞口（Ａ）１３０又は特別図柄始動入賞口（Ｂ）１３４へ遊技球ＰＢが入賞したことを言い、これによって抽選権利を得ることになる。なお、無効始動入賞時は、抽選の権利は与えられないが、所定数（３〜５個程度）の賞球払出しがなされる場合もある。
【０１５１】
上記始動入賞が有効始動入賞であった場合には、乱数を取得し、予め記憶されている当り値を読み出し、双方を比較して、抽選が当りか外れかを判定する。
【０１５２】
なお、現在の遊技状態が図柄変動演出中の場合は、抽選の権利を保留にするべく、保留数を１つ加算（＋１）し、通常遊技状態の下、図柄変動演出中ではなくなったときに、保留数を１つ減算して抽選処理が実行される。
【０１５３】
前記抽選の当り／外れに基づいて、図柄変動演出時間を設定し、抽選結果、図柄変動演出時間を含むコマンドを演出制御部１５２へ送出する。
【０１５４】
演出制御部１５２では、抽選の結果を、設定された演出時間を使って報知（図柄変動演出の実行）する。
【０１５５】
この報知後、抽選の結果が当たりの場合には、特別遊技状態（大当たり処理）が実行される。特別遊技状態では、通常遊技状態の下で常に閉止状態のアタッカー１１２を所定のラウンド（Ｒ）数（例えば、２Ｒ〜１６Ｒ程度）だけ開閉する。
【０１５６】
なお、アタッカー１１２の最大開放時間は３０秒程度であり、開放時間内にアタッカー１１２が開放中に所定数（例えば、４〜１０個）の遊技球の入賞があった時点で閉止し、所定の閉止時間をあけて、次のラウンド（開放）に移行する。これにより、遊技者は、通常遊技状態における同一時間の中で、多くの遊技球の賞球を受けることができる。
【０１５７】
なお、この遊技仕様は、特図抽選を伴う遊技仕様であるが、本実施の形態では、遊技仕様は限定されるものではなく、遊技球の流動の動向のみで遊技状態が変化する所謂羽根ものタイプの遊技仕様であったり、複数の遊技仕様を併用した遊技仕様であってもよい。
【０１５８】
（回路基板ケースの不正回避構造）
ここで、上記遊技の進行は、遊技盤１８の裏面に設けられた複数の電子回路基板２１８等の連携による制御によって実行される。複数の電子回路基板２１８等は、それぞれ回路基板ケース２１０、２１２、２１４、２１６に収容され、保護されている。特に、主制御部１５０に対応する電子回路基板２１８は、入賞判定処理及び抽選処理を行ない、入賞判定結果及び抽選結果に基づいて遊技の進行を司る重要な基板であり、このため、回路基板ケース２１０の開閉状態に痕跡を残す仕組みを設けている。本実施の形態では、回路基板ケース２１０に設けた例を示した。
【０１５９】
より具体的には、円筒部２３４に対して、工具としてのドライバをあてがい、カバー部材２３６を突き破って、内部にあるビスを円溝部２３８の小孔に向けて螺合することで、次の開放時には、前記螺合作業済の円筒部２３４又は円溝部２３８の何れか、或いは両方を、工具としてニッパやカッター等で切り落とす必要が生じるため、確実に痕跡を残すことができる。
【０１６０】
また、封印シール２６０にＲＦＩＤ機能が付加されている場合、当該封印シール２６０が正規のものであれば、ＩＣタグリーダに記憶された識別情報と一致し、不正なものであれば、ＩＣタグリーダに記憶された識別情報と一致しない（或いは、ＩＣタグリーダで識別符号情報を取得できない）。
【０１６１】
さらに、封印シール２６０を空洞部２４０に収容し、外部から手を触れることができない状態としたため、例えば、溶剤によりきれいに剥がし、内部の電子部品の交換、改ざん等を行って、再び封印シール２６０を貼り直すといった不正行為が不可能となる。
【０１６２】
（回路基板ケース２１０の着脱の履歴）
上記では、回路基板ケース２１０の閉塞カバー部２２２とベース部２２４とを分離するときの不正回避である。
【０１６３】
一方、回路基板ケース２１０自体を回路アダプター２２０から取り外す場合がある。取り外す目的は、不正行為、装着不備による脱落等が考えられる。
【０１６４】
不正行為が目的の場合、元から装着されていた回路基板ケース２１０に代えて、別の回路基板ケースが回路アダプター２２０に装着されると、痕跡部２３２や封印シール２６０は、外観上は着脱の痕跡が残らない。そこで、本実施の形態では、着脱監視装置３００を設けることで、目視、並びに制御的に回路基板ケース２１０の着脱を監視するようにした。
【０１６５】
（目視による着脱監視）
図７〜図９に従い、回路基板ケース２１０が回路アダプター２２０へ装着される手順、並びに、回路基板ケース２１０が回路アダプター２２０から離脱される手順を説明する。
【０１６６】
まず、回路基板ケース２１０を回路アダプター２２０へ装着する場合、図７（Ａ）に示される如く、回路基板ケース２１０を回路アダプター２２０の装着面に、ほぼ平行状態で突き合わせ、この状態で相互にスライド移動（一般的には、回路基板ケース２１０をスライド移動）させる（図７（Ａ）参照）。これにより、フック部２２９が係合部２３３の溝部２３３Ａへ挿入され（前述の第１の工程）、当該位置決め状態で、アンカーピン２３５を押圧することで、アンカーピン２３５の先端が孔２２０Ａに挿入されて、固定される（前述の第２の工程）。
【０１６７】
なお、回路基板ケース２１０は、長辺側に突起片を設けてスライドさせ、回路アダプター２２０へ装着するようにしてもよい。
【０１６８】
一方、図９（Ａ）に示される如く、上記第１の工程及び第２の工程の動作に伴い、着脱監視装置３００の端子ユニット３０２から突出している一対の端子部３０６が、導通ユニット３０４の開口部３１２に入り込み、一対の端子部３０６自体の撓み、並びに、一対の丸棒３１４の案内部３１６での移動に依存して、一対の端子部３０６と一対の丸棒３１４とがそれぞれ所謂係合状態となる。
【０１６９】
なお、当該係合状態は、前記第１の工程及び第２の工程の動作に伴うことは必須ではなく、回路基板ケース２１０と回路アダプター２２０との最初の装着動作の際、別工程の手作業で係合状態としてもよい。
【０１７０】
回路基板ケース２１０が回路アダプター２２０へ装着されると、端子ユニット３０２にハーネス部３０８を介して設けられたコネクタ部３１０を、配線コネクタ部２３０の何れかへ接続する（図７（Ｂ）から図７（Ｃ）の状態）。
【０１７１】
次に、回路基板ケース２１０を回路アダプター２２０から離脱させる場合は、前記コネクタ部３１０を含み、全ての配線コネクタ部２３０に接続されたコネクタを取り外し、前述の第２の工程におけるアンカーピン２３５の解除を行い、次いで第１の工程の動作とは逆に、フック部２２９を係合部２３３から離脱させる（離脱動作）。
【０１７２】
このとき、図９（Ｂ）に示される如く、一対の端子部３０６は、一対の丸棒３１４に対して係合状態であるため、前記離脱動作に対して、一対の丸棒３１４が移動を阻害され、結果として、導通ユニット３０４のケースに設けられた開口部３１２の周縁部位を突き破って排出される（図７（Ｄ）参照）。
【０１７３】
この結果、最初以外の回路基板ケース２１０と回路アダプター２２０との装着動作では、一対の丸棒３１４が脱落して存在しないため、一対の端子部３０６は導通状態にならない。
【０１７４】
（着脱履歴判定プログラムによる着脱監視制御）
図８及び図９は、回路基板ケース２１０の回路アダプター２２０に対する着脱動作において、着脱監視装置３００に特化した状態変化を示したものである。
【０１７５】
図９（Ａ）は、回路基板ケース２１０を回路アダプター２２０へ装着するときの状態変化を示したものである（図８（Ａ）から図８（Ｂ）の変化）。
【０１７６】
図９（Ｂ）は、回路基板ケース２１０を回路アダプター２２０から離脱するときの状態変化を示したものである（図８（Ｂ）から図８（Ｃ）の変化）。
【０１７７】
図８（Ｂ）及び図９（Ａ）に示される如く、回路基板ケース２１０を回路アダプター２２０へ装着したときは、一対の端子部３０６が、一対の丸棒３１４及びプレート３１８を介して導通状態となることがわかる。
【０１７８】
一方、図８（Ｃ）及び図９（Ｂ）に示される如く、回路基板ケース２１０を回路アダプター２２０から離脱したときは、一対の端子部３０６が、非導通状態となることがわかる。本実施の形態では、図１０に示される回路を用いて、一対の端子部３０６の導通情報を判定している。
【０１７９】
図１１は、主制御部１５０において、電源投入時に図１０に示す回路に基づき実行される、一対の端子部３０６からの信号に基づく着脱履歴判定制御ルーチンを示すフローチャートである。
【０１８０】
なお、電源投入時とは、工場出荷の後に、ホールに設置して試運転するときの電源投入、ホール営業日の電源投入、閉店中の検査等による電源投入、停電復帰後の電源投入を含み、必要に応じて、条件を選択してもよい。
【０１８１】
図１１に示される如く、ステップ３５０では、まず、着脱監視装置３００の一方の端子部３０６に電圧（＋Ｖ）を印加し、ステップ３５２へ移行する。
【０１８２】
ステップ３５２では、着脱監視装置３００からの信号、すなわち、一対の端子部３０６の導通状態を示す信号を取り込む。
【０１８３】
この場合、一方の端子部３０６に電圧が印加されているため、一対の丸棒３１４及びプレート３１８を介して、一対の端子部３０６が導通状態の場合は、ＣＰＵ３２６にハイレベルの信号（Ｈ信号）が入力される。
【０１８４】
また、丸棒３１４が取り外され（排出され）、一対の端子部３０６が非導通状態の場合は、ＣＰＵ３２６にローレベルの信号（Ｌ信号）が入力される。
【０１８５】
次のステップ３５４では、ＣＰＵ３２６に入力される信号のレベルを判定する。
【０１８６】
ステップ３５４において、ＣＰＵ３２６にＨ信号が入力されたと判定された場合は、一旦回路アダプター２２０に装着された回路基板ケース２１０は、一度も離脱されていないと判断し、ステップ３５６へ移行する。
【０１８７】
ステップ３５６では、回路基板ケース２１０の正常状態が維持されていると認定して、遊技機起動プログラムの実行を指示し、このルーチンは終了する。
【０１８８】
また、ステップ３５４において、ＣＰＵ３２６にＬ信号が入力されたと判定された場合は、一旦回路アダプター２２０に装着された回路基板ケース２１０が、離脱されたと判断し、ステップ３５８へ移行する。
【０１８９】
ステップ３５８では、回路基板ケース２１０が異常状態（回路アダプター２２０から取り外された履歴がある状態）であると認定し、警告報知を実行する。警告報知の形態としては、ＬＣＤ表示部１０６に警告表示を行う制御、発光素子１３７を点灯、点滅させる制御、スピーカ６０から音を出力する制御等があり、パチンコ機１０の単体での警告が実行される。なお、警告報知は、複数の形態を複合させてもよい。いずれにしても、回路基板ケース２１０の回路アダプター２２０からの着脱の履歴を、特別な装置を追加したり、ネットワークを活用することなく、パチンコ機単独で認識することができる。
【０１９０】
次のステップ３６０では、ホールコンピュータへ通知し、次いで、ステップ３６２へ移行して、遊技機起動プログラムの実行中止を指示して、このルーチンは終了する。
【０１９１】
以上説明したように、本実施の形態に係る着脱監視装置３００では、回路基板ケース２１０自体が回路アダプター２２０から取り外された場合に、当該取り外し動作に伴って、一対の端子部３０６を導通状態としていた一対の丸棒３１４を案内部３１６から排出し、一対の端子部３０６の導通状態が解除される構造としたため、回路基板ケース２１０の取り外しの痕跡を、目視でも確認でき、かつ、電源投入時には、制御的にも判定が可能となる。
【０１９２】
なお、着脱監視装置３００の端子ユニット３０２の一対の端子部３０６を、導通ユニット３０４との一対の丸棒３１４に係合する場合に、回路機基板ケース２１０の回路アダプター２２０への装着動作に伴って係合させるようにしたが、係合操作は、必ずしも回路機基板ケース２１０の回路アダプター２２０への装着動作に伴う必要はなく、回路機基板ケース２１０の回路アダプター２２０への装着前後の何れかに、別工程で係合作業を行うようにしてもよい。言い換えれば、回路機基板ケース２１０を回路アダプター２２０から取り外す場合に、当該取り外し動作に伴って、一対の端子部３０６と一対の丸棒３１４との係合が解除されればよい。
【０１９３】
本実施の形態の着脱監視装置３００は、特に、工場出荷から店までの搬送過程において有効である。すなわち、搬送過程では、パチンコ機１０の監視体制が確立されておらず、回路基板ケース２１０の着脱の履歴を認識することができなかった。しかし、本実施の形態では、パチンコ機１０が店に到着し、島に設置された後の電源投入時に搬送過程中の回路基板ケース２１０の着脱の履歴を確認することができる。
【０１９４】
また、店における各日の開店前の電源投入時においても、前回閉店後からの回路基板ケース２１０の着脱状態を、自動的に確認することができるため、煩雑な確認作業（１台１台のパチンコ機、特に制御回路系統を目視、或いは特定の検査器具で確認する作業）を省略することができる。
【０１９５】
なお、本実施の形態では、着脱監視装置３００の判定制御を、パチンコ機１０の電源投入時としたが、図１２に示される如く、主制御部１５０とは独立した着脱監視装置３０１を備えるようにしてもよい。着脱監視装置３０１は、監視回路３０１Ａとメモリ３０１Ｂを備え、電源３０１Ｃ（例えば、電池等）を備えるようにしてもよい。これにより、仮に、一旦取り外した回路基板ケース２１０を、再度回路アダプター２２０へ装着するとき、一対の端子部３０６をショートさせる工夫がなされたとしても、工場出荷からホール設置までの道程における着脱の履歴をメモリ３０１Ｂに記憶し、記憶された情報を出力端子３０１Ｄから取り出すことができる。
【符号の説明】
【０１９６】
ＰＢ    遊技球
１０    パチンコ機（遊技機）
１８    遊技盤
１５０    主制御部
１５２    演出制御部
１５４    払出制御部
２１０    回路基板ケース
２１８    電子回路基板
２２０    回路アダプター
２２２    閉塞カバー部
２２４    ベース部
２２６    ビス
２２７    保持部
２２９    フック部
２３０    配線コネクタ部
２３１    突起片
２３３    係合部
２３３Ａ    溝部
２３５    アンカーピン
２４２    カバー側空洞構成部
２４４    ベース側空洞構成部
２４６    一対の空洞構成部
３００    着脱監視装置
３０２    端子ユニット
３０４    導通ユニット
３０６    端子部
３０８    ハーネス部
３１０    コネクタ部
３１２    開口部
３１４    丸棒
３１６    案内部
３１８    プレート
３２０    信号線
３２２    信号線
３２４    抵抗
３２６    ＣＰＵ
【図１】
2016077421.tif 000003
【図４】
2016077421.tif 000004
【図１０】
2016077421.tif 000005
【図１１】
2016077421.tif 000006
【図１２】
2016077421.tif 000007
【図２】
2016077421.tif 000008
【図３】
2016077421.tif 000009
【図５】
2016077421.tif 000010
【図６】
2016077421.tif 000011
【図７】
2016077421.tif 000012
【図８】
2016077421.tif 000013
【図９】
2016077421.tif 000014